(57)【要約】【課題】小さなデータ量で所望の画像パターンを動画として表示することができる動画表示装置を提供する。【解決手段】表示手段１６に表示する表示画面に所望の画像パターンを動画として表示する動画表示装置１０において、前記表示画面を予め分割した複数の分割領域に対して、前記画像パターンを動画として表示するように前記分割領域を区分するための領域区分情報を記憶する領域区分情報記憶手段１５ａと、前記領域区分情報が示す分割領域の表示形式を時系列的に規定する表示形式情報を記憶する表示形式情報記憶手段１５ｂと、領域区分情報記憶手段１５ａに記憶している領域区分情報が示す区分毎に対応する分割領域を、表示形式情報記憶手段１５ｂに記憶している表示形式情報が示す表示形式となるように表示手段１６に前記表示画面を表示させる表示制御手段１４と、を有することを特徴とする。【選択図】図１
2008292719.tif 000002
【特許請求の範囲】
【請求項１】
表示手段に表示する表示画面に所望の画像パターンを動画として表示する動画表示装置において、
前記表示画面を予め分割した複数の分割領域に対して、前記画像パターンを動画として表示するように前記分割領域を区分するための領域区分情報を記憶する領域区分情報記憶手段と、
前記領域区分情報が示す分割領域の表示形式を時系列的に規定する表示形式情報を記憶する表示形式情報記憶手段と、
前記領域区分情報記憶手段に記憶している領域区分情報が示す区分毎に対応する分割領域を、前記表示形式情報記憶手段に記憶している表示形式情報が示す表示形式となるように前記表示手段に前記表示画面を表示させる表示制御手段と、
を有することを特徴とする動画表示装置。
【請求項２】
前記表示形式情報は、前記分割領域の区分を識別するための領域識別データと、該領域識別データに対応する前記分割領域の表示色を時系列的に変化させるための表示色識別データと、を有し、
前記表示制御手段は、前記領域識別データと前記表示色識別データとに基づいて前記表示手段に前記表示画面の分割領域の表示色を変化させて表示させる手段であることを特徴とする請求項１に記載の動画表示装置。
【請求項３】
前記領域区分情報は、前記画像パターンを動画として前記表示画面の異なる表示位置に対応した異なる前記分割領域を区分する領域区分データを有し、
前記表示制御手段は、前記領域区分データと前記表示形式情報記憶手段に記憶している表示形式情報が示す表示形式とに基づいて、前記画像パターンを移動させるように前記表示画面を表示させる手段であることを特徴とする請求項１又は２に記載の動画表示装置。
【発明の詳細な説明】
【技術分野】
【０００１】
本発明は、動画表示装置に関し、より詳細には、表示手段に表示する表示画面に所望の画像パターンを動画として表示する動画表示装置に関するものである。
【背景技術】
【０００２】
従来、車両の走行状態（たとえば、走行速度）をデジタル式の数値で表示する際、ドットマトリクス型表示器を用いて、ドットの点灯／非点灯で数字を表すものもある（特許文献１）。たとえば、５×５（５行５列）ドットマトリクスタイプでは、表示したい数字に合わせて各ドットの点灯／非点灯が制御される。例として、数字「１」は、１行３，４列、２行４列、３行４列、４行４列、５行４列のドットが点灯、残りのドットが非点灯とされる。数字「２」は、１行全列、２行５列、３行全列、４行１列、５行全列のドットが点灯、残りのドットが非点灯とされる。数字「３」は、１行全列、２行５列、３行２，３，４，５列、４行５列、５行全列のドットが点灯、残りのドットが非点灯とされる。数字「４」は、１行３，４列、２行２，４列、３行１，４列、４行全列、５行４列のドットが点灯、残りのドットが非点灯とされる。
【特許文献１】特開平１０−６３２１５号公報
【発明の開示】
【発明が解決しようとする課題】
【０００３】
しかしながら、従来の表示装置で動画を表示する場合、複数の表示画面を予め用意して、その複数の表示画面を１枚づつ表示することで動画として表現していた。そのため、表示画面のサイズや表示色数、再生時間によってデータ量が増えてしまい、データ容量やデータ転送時間、描画時間に制約が生じていた。例えば、ＷＶＧＡ（800×480のサイズの画面解像度（２５６色））の画面で５コマの動画を再生するために必要な画像データ量は、８００×４８０×５＝１８７５（ＫＢ）となり、再生時間を長くしたり、再生速度を速くしたりすれば、そのデータ量はさらに大きくなるという問題があった。
【０００４】
よって本発明は、上述した問題点に鑑み、小さなデータ量で所望の画像パターンを動画として表示することができる動画表示装置を提供することを課題としている。
【課題を解決するための手段】
【０００５】
上記課題を解決するため本発明によりなされた請求項１記載の動画表示装置は、図１の基本構成図に示すように、表示手段１６に表示する表示画面に所望の画像パターンを動画として表示する動画表示装置１０において、前記表示画面を予め分割した複数の分割領域に対して、前記画像パターンを動画として表示するように前記分割領域を区分するための領域区分情報を記憶する領域区分情報記憶手段１５ａと、前記領域区分情報が示す分割領域の表示形式を時系列的に規定する表示形式情報を記憶する表示形式情報記憶手段１５ｂと、前記領域区分情報記憶手段１５ａに記憶している領域区分情報が示す区分毎に対応する分割領域を、前記表示形式情報記憶手段１５ｂに記憶している表示形式情報が示す表示形式となるように前記表示手段１６に前記表示画面を表示させる表示制御手段１４と、を有することを特徴とする。
【０００６】
上記請求項１に記載した本発明の動画表示装置によれば、表示制御手段１４は表示形式情報記憶手段１５ｂに記憶している領域区分情報が示す区分毎に対応する分割領域を、表示形式情報記憶手段１５ｂに記憶している表示形式情報が示す表示形式となるように表示手段１６に表示画面を表示させるため、表示画面に動画を表示させるための情報を、表示画面１枚分の領域区分情報と表示形式情報のみに減少させることができる。
【０００７】
請求項２記載の発明は、図１の基本構成図に示すように、請求項１に記載の動画表示装置において、前記表示形式情報は、前記分割領域の区分を識別するための領域識別データと、該領域識別データに対応する前記分割領域の表示色を時系列的に変化させるための表示色識別データと、を有し、前記表示制御手段１４は、前記領域識別データと前記表示色識別データとに基づいて前記表示手段１６に前記表示画面の分割領域の表示色を変化させて表示させる手段であることを特徴とする。
【０００８】
上記請求項２に記載した本発明の動画表示装置によれば、表示制御手段１４は領域識別データと表示色識別データとに基づいて表示手段１６に表示画面の分割領域の表示色を変化させて表示させるので、分割領域毎に表示色を変化させることができる。
【０００９】
請求項３記載の発明は、図１の基本構成図に示すように、請求項１又は２に記載の動画表示装置において、前記領域区分情報は、前記画像パターンを動画として前記表示画面の異なる表示位置に対応した異なる前記分割領域を区分する領域区分データを有し、前記表示制御手段１４は、前記領域区分データと前記表示形式情報記憶手段１５ｂに記憶している表示形式情報が示す表示形式とに基づいて、前記画像パターンを移動させるように前記表示画面を表示させる手段であることを特徴とする。
【００１０】
上記請求項３に記載した本発明の動画表示装置によれば、表示制御手段１４は領域区分データと表示形式情報が示す表示形式とに基づいて、画像パターンを移動させるように表示画面を表示させるので、動画として表示するために必要な画像データ量をより一層減少させることができる。
【発明の効果】
【００１１】
以上説明したように請求項１に記載した本発明の動画表示装置によれば、表示画面に動画を表示させるための情報を、表示画面１枚分の領域区分情報と表示形式情報のみに減少させることができるため、データ容量の削減及び再生時の処理の軽減を図ることができる。従って、小さなデータ量で動画を表示することができる動画表示装置を提供することができる。
【００１２】
請求項２に記載した本発明によれば、請求項１に記載の発明の効果に加え、分割領域毎に表示色を変化させることができるため、領域識別データと表示色識別データだけで所望のマーク等の点滅や段階的な階調変化を表現できるため、点滅やフェードイン・フェードアウトなどの表示効果をより少ないデータ量で実現することができる。
【００１３】
請求項３に記載した本発明によれば、請求項１又は２に記載の発明の効果に加え、表示形式情報が示す表示形式を時系列的に変化させるだけで動画を表示することができるため、動画として表示するために必要な画像データ量をより一層減少させることができる。
【発明を実施するための最良の形態】
【００１４】
以下、本発明に係る動画表示装置一実施形態を、図２〜図１０の図面を参照して以下に説明する。なお、本発明において、動画表示とは、所定の画像パターンの表示色の変化や移動などを意味している。
【００１５】
図２において、動画表示装置１０は、予め定めたプログラムに従って各種の処理や制御などを行う中央演算処理装置（ＣＰＵ）１１と、ＣＰＵ１１のためのプログラム等を格納した読み出し専用のメモリであるＲＯＭ１２と、各種のデータを格納するとともにＣＰＵ１１の処理作業に必要なエリアを有する読み出し書き込み自在のメモリであるＲＡＭ１３と、ＧＤＣ（Graphics Display Controller）１４と、表示部１５と、ＶＲＡＭ（Video Random Access Memory）１６と、を有している。
【００１６】
ＣＰＵ１１には、ＲＯＭ１２とＲＡＭ１３とＧＤＣ１４がバス１７を介して各種データの入出力が可能なように接続されている。そして、ＧＤＣ１４には、表示部１５とＶＲＡＭ１６とがバス１７を介して各種データの入出力が可能なように接続されている。
【００１７】
ＲＯＭ１２は、例えばグラフィックメータ等に組み込まれた動画表示装置１０における処理全体を制御するためのプログラム等を記憶しており、ＣＰＵ１１はそのプログラムを実行することで、所望の表示画面の表示要求をＧＤＣ１４に出力する。
【００１８】
ＧＤＣ１４は、ＣＰＵ１１から表示要求を受けると、ＶＲＡＭ１６のデータに基づいて表示画面を表示部１５に描画することで、表示部１５に表示画面を表示させる。即ち、請求項中の表示制御手段に相当している。なお、本実施形態では、ＧＤＣ１４に描画を行わせることによって、ＣＰＵ１１が行うはずの作業を軽減する場合について説明するが、本発明はこれに限定するものではなく、ＣＰＵ１１が直接描画制御を行う実施形態とすることもできる。
【００１９】
表示部１５は、縦横の行列に並んでいる表示単位(画素)をＯＮ／ＯＦＦして、文字・図形など表示画面上に描くことができるドットマトリクス型の液晶表示装置等が用いられる。そして、表示部１５はＧＤＣ１４の制御により画素をＯＮ／ＯＦＦして表示画面を表示する構成となっている。
【００２０】
ＶＲＡＭ１６は、公知であるように、表示部１５に表示される内容を保持して記憶するメモリとなっており、領域区分情報Ｄ１と、該領域区分情報Ｄ１に対応する１又は複数の表示形式情報Ｄ２を記憶している。このように本実施形態ではＶＲＡＭ１６が請求項中の領域区分情報記憶手段及び表示形式情報記憶手段として機能している。なお、領域区分情報Ｄ１としては、表示部１５の１つの画素、複数の画素の集合体など任意に定義することができる。
【００２１】
領域区分情報Ｄ１は、表示画面を予め分割した複数の分割領域に対して、所望の画像パターンを動画として表示するように分割領域を区分するための情報であり、画像パターンを動画として変化させる分割領域を区分するための領域区分データＤ１１を有している。
【００２２】
表示形式情報Ｄ２は、領域区分情報Ｄ１が示す分割領域の表示形式を時系列的に規定するための情報であり、分割領域の区分を識別するための領域識別データＤ２１と、該領域識別データＤ２１に対応する分割領域の表示色を時系列的に変化させるための表示色識別データＤ２２と、を有している。即ち、領域区分情報Ｄ１と表示形式情報Ｄ２は、領域区分データＤ１１と領域識別データＤ２１によって関連づけられている。
【００２３】
例えば、図３（ａ）に示す表示画面Ｇ１を点滅（フェードイン・フェードアウト）する動画として表示部１５に表示させる場合、表示画面Ｇ１は動画対象となる画像Ｇ１１と非動画対象（背景等）となる画像Ｇ１２に区別することができる。そして、図３（ｂ）に示すように、表示画面Ｇ１を画像Ｇ１１に対応するように３行３列の分割領域Ｅに区分され、その複数の分割領域Ｅのうち、画像Ｇ１１に対応した分割領域Ｅに「２」が、画像Ｇ１２に対応した分割領域Ｅに「１」がそれぞれ領域区分データＤ１１として設定されて領域区分情報Ｄ１が形成されている。
【００２４】
この領域区分情報Ｄ１には、図４（ａ）〜（ｅ）に示す５つの表示形式情報Ｄ２が関連付けられて時系列的にＶＲＡＭ１６に記憶されている。図４（ａ）〜（ｅ）に示すように、表示形式情報Ｄ２の領域識別データＤ２１には「１」、「２」が設定され、表示色識別データＤ２２には、「白」、「白」と、「白」、「２５％灰」と、「白」、「５０％灰」と、「白」、「７５％灰」と、「白」、「黒」と、のそれぞれを示すデータが時系列的に設定されている。
【００２５】
ＧＤＣ１４は、ＣＰＵ１１から表示要求を受けると、ＶＲＡＭ１６から当該表示要求に対応する領域区分情報Ｄ１と該領域区分情報Ｄ１に関連づけられた表示形式情報Ｄ２を抽出する。そして、領域区分情報Ｄ１が示す区分毎に対応する分割領域Ｅを、領域区分情報Ｄ１に対応した表示形式情報Ｄ２を所定の時間毎に切り替えて参照し、当該領域識別データＤ２１が示す分割領域Ｅを表示色識別データＤ２２が示す表示色となるように、表示部１５に表示画面Ｇを描画させることで、表示部１５には図４（ａ）〜（ｅ）に示すように、動画対象となる画像Ｇ１１が白色から灰色の濃度を徐々に濃くするように変化し、最終的に黒色となるように変化する表示画面Ｇ１が表示される。
【００２６】
また、図５（ａ）〜（ｅ）に示す画像パターンを表示画面Ｇ２にアニメーション（動画）として表示する場合は、領域区分情報Ｄ１及び表示形式情報Ｄ２は以下のように構成することができる。
【００２７】
領域区分情報Ｄ１は、図６に示すように、図５（ａ）〜（ｅ）に示す画像パターンに対応するように５行５列の分割領域Ｅに区分され、その複数の分割領域Ｅは画像パターンとなるように「１」〜「６」の領域区分データＤ１１が割り振られて形成されている。例えば、図５（ａ）に対応した画像パターンが「３」又は「４」、図５（ｂ）に対応した画像パターンが「５」、図５（ｃ）に対応した画像パターンが「６」、図５（ｄ）に対応した画像パターンが「４」又は「６」、図５（ｅ）に対応した画像パターンが「２」、「４」、「６」となり、表示色が変化しない分割領域Ｅが「１」となるように、領域区分データＤ１１が設定されて領域区分情報Ｄ１を形成している。
【００２８】
この領域区分情報Ｄ１には、図７（ａ）〜（ｅ）に示す５つの表示形式情報Ｄ２が関連付けられて時系列的にＶＲＡＭ１６に記憶されている。図７（ａ）〜（ｅ）に示すように、表示形式情報Ｄ２の領域識別データＤ２１には、上述した領域区分データＤ１１に対応する「１」〜「６」が設定され、表示色識別データＤ２２の各々には、図５（ａ）〜（ｅ）に示す画像パターンとなるように、分割領域Ｅの表示色が「白」又は「黒」を示すデータが設定されている。
【００２９】
ＧＤＣ１４は、ＣＰＵ１１から表示要求を受けると、ＶＲＡＭ１６から当該表示要求に対応する領域区分情報Ｄ１と該領域区分情報Ｄ１に関連づけられた表示形式情報Ｄ２を抽出する。そして、領域区分情報Ｄ１が示す区分毎に対応する分割領域Ｅを、領域区分情報Ｄ１に対応した表示形式情報Ｄ２を所定の時間毎に切り替えて参照し、当該領域識別データＤ２１が示す分割領域Ｅを表示色識別データＤ２２が示す表示色となるように、表示部１５に表示画面Ｇを描画させることで、表示部１５には図７（ａ）〜（ｅ）に示す動画パターンを所定時間毎に徐々に変化する表示画面Ｇ２が表示される。
【００３０】
以上説明した本発明の動画表示装置１０によれば、表示画面に動画を表示させるための情報を、表示画面Ｇ１，Ｇ２の各１枚分の領域区分情報Ｄ１と表示形式情報Ｄ２のみに減少させることができるため、データ容量の削減及び再生時の処理の軽減を図ることができる。従って、小さなデータ量で動画を表示することができる動画表示装置１０を提供することができる。
【００３１】
また、分割領域Ｅ毎に表示色を変化させることができるため、領域識別データＤ２１と表示色識別データＤ２２だけで所望のマーク等の点滅や段階的な階調変化を表現できるため、点滅やフェードイン・フェードアウトなどの表示効果をより少ないデータ量で実現することができる。
【００３２】
次に、上述した実施形態では、表示形式情報Ｄ２を図４及び図７に示すようなパレットテーブルとして実現する場合について説明したが、本発明はこれに限定するものではなく、表示形式情報Ｄ２の表示色識別データＤ２２としてパレット番号を設定し、ＧＤＣ１４が予め定められたプログラムでパレット番号を徐々に変化させるプログラムで表示形式を変化させる実施形態とすることもできる。
【００３３】
例えば、図３（ａ）に示す表示画面Ｇ１の動画対象となる画像Ｇ１１の表示色を、図８に示すように赤色〜黒色の１１段階で変化させて点滅させるための表示色制御プログラムをＧＤＣ１４の内蔵メモリ等に予め記憶しておき、表示形式情報Ｄ２の表示色識別データＤ２２にはパレット番号（表示色）を記憶しておく。そして、ＧＤＣ１４は領域区分情報Ｄ１と該領域区分情報Ｄ１に関連づけられた表示形式情報Ｄ２を参照し、表示色識別データＤ２２のパレット番号を初期値として設定して前記表示色制御プログラムを実行する。ここでは、初期値として「黒」を示すパレット番号を記憶する場合について説明する。
【００３４】
前記表示色制御プログラムの一例としては、図９に示すフローチャートが挙げられる。そして、ＧＤＣ１４は、ステップＳ１１において、点滅要求をＣＰＵ１１から受けたか否かを判定する。受けていないと判定した場合（Ｓ１１で無）、処理を終了する。一方、点滅要求を受けたと判定した場合（Ｓ１１で有）、ステップＳ１２において、内蔵メモリのフラグを参照して、初点灯であるか否かを判定する。初点灯ではないと判定した場合（Ｓ１２でＮ）、ステップＳ１４に進む。一方、初点灯であると判定した場合（Ｓ１２で）、ステップＳ１３において、前記フラグに消灯→点灯を示す「１」を設定する。
【００３５】
ステップＳ１４において、前記フラグが「１」であるか否かを判定する。「１」であると判定した場合（Ｓ１４でＹ）、ステップＳ１５において、現状のパレット番号に赤の１０％分を加算して新たなパレット番号を設定する。そして、ステップＳ１６において、パレット番号が「赤」を示しているか否かを判定する。「赤」ではないと判定した場合（Ｓ１６でＮ）、処理を終了する。一方、「赤」であると判定した場合（Ｓ１６でＹ）、ステップＳ１７において、前記フラグに「０」を設定し、処理を終了する。
【００３６】
また、ステップＳ１４で前記フラグが「１」ではないと判定した場合（Ｓ１４でＮ）、ステップＳ１８において、現状のパレット番号に赤の１０％分を減算して新たなパレット番号を設定する。そして、ステップＳ１９において、パレット番号が「黒」を示しているか否かを判定する。「黒」ではないと判定した場合（Ｓ１９でＮ）、処理を終了する。一方、「黒」であると判定した場合（Ｓ１９でＹ）、ステップＳ２０において、前記フラグに「１」を設定し、処理を終了する。
【００３７】
ＧＤＣ１４は図９に示す一連の処理が終了すると、領域識別データＤ２１が示す分割領域Ｅを表示色識別データＤ２２に設定されたパレット番号が示す表示色となるように、表示部１５に表示画面Ｇを描画させることで、表示部１５には図３（ａ）に示す動画パターンを所定時間毎に徐々に黒色から赤色に変化された表示画面Ｇ２が表示される。
【００３８】
このように本発明の動画表示装置１０を構成しても、表示画面Ｇ１に動画を表示させるための情報を、表示画面Ｇ１の１枚分の領域区分情報Ｄ１と１つの表示形式情報Ｄ２のみに減少させることができるため、データ容量の削減及び再生時の処理の軽減を図ることができる。従って、小さなデータ量で動画を表示することができる動画表示装置１０を提供することができる。さらに、表示色識別データＤ２２の種類を増加しなくても、表示色を段階的に変化させることができるため、動画パターンの増加によるデータ量の増加を防止することができる。
【００３９】
また、図１０に示すように、従来は５コマ分の表示画面ｇ１〜ｇ５を予め用意し、その表示画面ｇ１〜ｇ５を時系列的に表示部１５に切り替えて表示しなければならなかったが、本発明の動画表示装置１０では、表示画面ｇ１〜ｇ５の各動画パターンＰ１〜Ｐ５の全てを表示画面Ｇ３上に区分し、該領域を動画パターンＰ１〜Ｐ５に対応した分割領域Ｅとして分割して領域区分情報Ｄ１を形成する。そして、領域区分情報Ｄ１に対応する５つの表示形式情報Ｄ２を形成し、各領域識別データＤ２１には動画パターンＰ１〜Ｐ５を設定し、且つ、各表示色識別データＤ２２には「黒」又は「赤」に対応するパレット番号が設定される。なお、動画パターンＰ１〜Ｐ５以外の表示画面３の領域は、背景として固定し、常時黒色で表示させるものとする。
【００４０】
そして、表示形式情報Ｄ２において、１コマ目に対しては、領域識別データＤ２１が「Ｐ１」に対応した表示色識別データＤ２２にのみ「赤」のパレット番号が設定され、その他には「黒」のパレット番号が設定される。このように１〜５コマの各々に対応させて「赤」のパレット番号を設定する表示色識別データＤ２２を変化させて表示形式情報Ｄ２を形成する。
【００４１】
その結果、ＧＤＣ１４は、図１０に示す表示形式情報Ｄ２を所定の時間毎に切り替えて参照し、当該領域識別データＤ２１が示す分割領域Ｅを表示色識別データＤ２２が示す表示色となるように、表示部１５に表示画面Ｇを描画させることで、表示部１５には図１０の１〜５コマ目の動画パターンＰ１〜Ｐ５を切り替えた表示画面Ｇ３が表示される。即ち、従来のように５コマ分の画像データを用いることなく、「Ａ」を画面左方向に変形させながら移動させて「Ｂ」に変化させる表示を行うことができる。
【００４２】
従って、このように本発明の動画表示装置１０を構成しても、表示画面Ｇ３に動画を表示させるための情報を、表示画面Ｇ３の１枚分の領域区分情報Ｄ１と表示形式情報Ｄ２のみに減少させることができるため、データ容量の削減及び再生時の処理の軽減を図ることができる。従って、小さなデータ量で動画を表示することができる動画表示装置を提供することができる。また、表示形式情報Ｄ２が示す表示形式を時系列的に変化させるだけで動画を表示することができるため、動画として表示するために必要な画像データ量をより一層減少させることができる。
【００４３】
なお、上述した実施形態では、ＶＲＡＭ１６に１つの領域区分情報Ｄ１とこれに関連する複数の表示形式情報Ｄ２を記憶する場合について説明したが、本発明はこれに限定するものではなく、複数の領域区分情報Ｄ１を切り替えながら表示制御を行うことで、より複雑な画像パターンを動画として表示することができる。
【００４４】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００４５】
【図１】本発明の動画表示装置の基本構成を示す構成図である。
【図２】本発明に係る動画表示装置の概略構成を示すシステム構成図である。
【図３】表示画面と分割領域の関係を説明するための図である。
【図４】図３の分割領域に対応した複数の表示形式情報及びその表示例を説明するための図である。
【図５】表示画面に表示する複数の画像パターンを説明するための図である。
【図６】図５の画像パターンに対応する分割領域を説明するための図である。
【図７】図６に示す分割領域に対応した複数の表示形式情報を説明するための図である。
【図８】表示画面の画像パターンを黒色〜赤色に段階的に変化させる表示例を説明するための図である。
【図９】図８に示す表示例を実現するためにＧＤＣが実行する処理概要の一例を示すフローチャートである。
【図１０】表示画面の画像パターンを移動させて表示する実施形態を説明するための図である。
【符号の説明】
【００４６】
１０    動画表示装置
１４    表示制御手段（ＧＤＣ）
１５ａ    領域区分情報記憶手段（ＶＲＡＭ）
１５ｂ    表示形式情報記憶手段（ＶＲＡＭ）
１６    表示手段（表示部）
Ｄ１    領域区分情報
Ｄ２    表示形式情報
【図１】
2008292719.tif 000003
【図２】
2008292719.tif 000004
【図３】
2008292719.tif 000005
【図５】
2008292719.tif 000006
【図６】
2008292719.tif 000007
【図７】
2008292719.tif 000008
【図８】
2008292719.tif 000009
【図９】
2008292719.tif 000010
【図１０】
2008292719.tif 000011
【図４】
2008292719.tif 000012